(57)【特許請求の範囲】
【請求項１】
設備ごとに起動又は停止時刻を絶対時刻にて設定した通常運行テーブルと、
緊急開店操作入力がなされたときからの経過時間にて設備ごとの起動時間を設定した緊急運行テーブルと、
通常状態では前記通常運行テーブルに基づいた運行スケジュールを作成し、
前記緊急開店操作入力があると前記緊急運行テーブルに基づいた運行スケジュールを作成するスケジュール作成手段とを有し、前記運行スケジュールに従って運行する自動運行装置であって、
前記スケジュール作成手段は、
前記緊急運行テーブルに基づいて運行スケジュールを作成するとき、前記緊急運行テーブルにおける指定設備については当該設備について前記通常運行テーブルに絶対時刻にて設定された起動時刻を参照して運行スケジュールを作成することを特徴とする自動運行装置。
【発明の詳細な説明】
【０００１】
【発明の属する技術分野】
本発明は、金融機関の無人店舗や自動販売機などを自動運行させる自動運行装置に関し、特に予め設定した運行スケジュールに従って運行する自動運行装置に関する。
【０００２】
【従来の技術】
従来、例えば、金融機関のＣＤ／ＡＴＭが設置された店舗を無人状態で運行するために、必要な照明・空調設備・出入口設備・ＣＤ機などの各設備を予め設定した運行スケジュールにて制御する自動運行装置がある。
従来の自動運行装置では、例えば、店舗の開店時刻になると照明・空調設備・ＣＤ機などを順次に起動させ、閉店時刻になるとこれらを順次に停止させている。また、突発的な事態に対応するため、緊急開店操作又は緊急閉店操作がされると、その操作時点からの経過時間（相対時間）に応じて照明等の起動又は停止の制御をしていた。
すなわち、緊急事態が発生していない通常時は絶対時刻を基準に作成された運行スケジュールにて制御し、緊急事態が発生すると相対時間を基準に作成された運行スケジュールにて制御していた。
なお、相対時間制御から絶対時刻制御への運行スケジュールの切替は、当該相対時間での最終の制御が終了した時点である。
【０００３】
【解決しようとする課題】
しかし、設備には、絶対時刻でないと適切に制御できないものがある。例えば、両替機のように、店舗の開店中における定まった時刻の間だけ稼動させたい設備が存在する。両替機の場合は、開店中の９：００〜１５：００の間だけ稼動させる必要がある。
このような設備が存在する場合、従来の自動運行装置では、自動運行装置が絶対時刻にて運行していれば支障なく運行できるが、相対時刻での運行になると適切な発停等の制御が困難になる。つまり、緊急開店操作は、突発的な事案の発生によって行われるので、この操作時からの相対時間での制御では、本来、起動／停止させたい時刻での設備制御が行えない。
【０００４】
例えば、両替機の緊急運行スケジュールを緊急開店時刻から６時間後に停止と相対時間で設定した場合、１３：００に緊急開店操作が行われると、１９：００に両替機が停止する。７：００に緊急開店操作が行われると、１３：００に両替機が停止する。このように、相対時間にて設定すると、起動時刻が定まらないため、停止時刻も不定となり、本来の起動／停止させたい時刻での制御ができないのである。
【０００５】
このため、従来の自動運行装置では、緊急開店操作又は緊急閉店操作に連動せず、絶対時刻にしたがって制御される設備は、緊急時における制御から除外され、緊急時に制御できないという問題があった。
【０００６】
【課題を解決するための手段】
かかる課題を解決するために本発明は、設備の運行スケジュールを絶対時刻にて設定するための通常運行テーブルと、設備の運行スケジュールを操作入力からの相対的な時間にて設定するための緊急運行テーブルと、操作入力があると通常運行テーブル及び緊急運行テーブルとに基づいた運行スケジュールを作成し、通常状態では通常運行テーブルに基づいた運行スケジュールを作成するスケジュール作成手段を有した自動運行装置を提供する。
【０００７】
かかる自動運行装置では、緊急に設備を制御する必要が生じた場合に、当該操作に直接関連する設備については即応した相対時間での運行スケジュール制御が可能となるとともに、直接的な関連の少ない設備は絶対時刻での運行スケジュール制御が可能となる。
【０００８】
特に、緊急運行テーブルに、通常運行テーブルにおける絶対時刻での運行とする設備指定できるようにすると、簡易な設定にて最適な運行スケジュールを作成することができる。
【０００９】
【発明の実施の形態】
【００１０】
【実施例】
以下、図を参照して、本発明を適用した金融機関における無人化店舗の自動運行装置１を例に説明する。
【００１１】
図１は、全体のシステム構成を示している。店舗には、ＡＴＭ４、照明設備５、両替機６、電気錠装置７、防犯・防災監視用のセンサ８及び自動運行装置１が設置されている。これらの設備等は、自動運行装置１に接続され、自動運行装置１によって制御又は監視されている。
【００１２】
また、自動運行装置１は、ＩＳＤＮ回線である通信回線２を介して、遠隔の監視センタ装置３に接続されている。なお、通信回線２としては、専用線やＰＳＴＮなどを用いてもよい。自動運行装置１は、設備を自動運行制御するとともに、閉店時の侵入者監視、火災監視なども行っており、店舗にて何らかの異常が発生すると、通信回線２を介して監視センタ装置３へ通報する。
【００１３】
ＡＴＭ機４は、店舗が開店中は稼動状態にあり、顧客が操作することにより、現金を出し入れできる自動現金預払機である。なお、ＡＴＭ機は、使用可能な状態になるまでに所定の時間が必要なため、開店時刻前に起動させておく必要がある。
【００１４】
照明設備５は、店舗内の蛍光燈などの照明設備であって、開店時に点灯し閉店時に消灯する。両替機６は、金融機関が窓口業務を実施している時間帯のみ稼動させる必要のある設備である。
電気錠７は、店舗の出入口扉に設けられ、人の入店を物理的にコントロールする設備であり、店舗の開店及び閉店に関連性の高い設備である。
【００１５】
防犯・防災用センサ８は、店舗が閉店中に店舗に入った侵入者を検出する防犯系センサ、火災の発生等を検知する防災系センサ、設備の状態を検出する設備系センサなどがあり、適宜の場所に適宜の台数が配設される。
【００１６】
次に、図２を参照して、自動運行装置１を説明する。
自動運行装置１は、通信手段１０１、操作手段１０２、表示手段１０３、記憶手段１０４、電源手段１０５、計時手段１０６、センサ監視手段１０７、照明設備制御手段１０８、電気錠制御手段１０９、ＡＴＭ機制御手段１１０、両替機制御手段１１１及び全体を統括制御する制御手段１００から主に構成される。
【００１７】
通信手段１０１は、監視センタ３と通信回線２を介して通信を行う手段であって、ＤＳＵ機能等を有している。
【００１８】
操作手段１０２は、金融機関や警備会社の担当者が操作するテンキー、カードリーダー、各種操作ボタンなどで構成され、緊急開店操作及び緊急閉店操作などが行われる。
表示手段１０３は、ＬＥＤ・液晶パネルなどで構成されており、設備の状態・異常発生の有無・警備状態などを表示する。
【００１９】
記憶手段１０４は、ＲＯＭ、ＲＡＭにより構成され、自動運行装置１の動作に必要な基本プログラム・通常運行テーブル・緊急運行テーブル・開閉店テーブル・当日の運行スケジュールなどを記憶している。
【００２０】
電源手段１０５は、商用電源及びバックアップ電源などから構成され、自動運行装置１の各部に対して必要な電源を供給する。
計時手段１０６は、タイマーにて構成され、現在時刻及び相対時間を計時する。
センサ監視手段１０７は、防犯センサ等の各種センサ８と接続し、センサ８の検出状態を監視する。
【００２１】
照明設備制御手段１０８は、照明設備に対する電源供給を制御することにより、照明の点灯／消灯制御を行う。
電気錠制御手段１０９は、店舗出入口の扉に設置されている電気錠７に対して、施錠又は解錠の制御信号を送出することにより、電気錠７を制御する。
ＡＴＭ機制御手段１１０は、ＡＴＭ機に対して、起動信号又は停止信号を送出することにより、ＡＴＭ機を制御する。
両替機制御手段１１１は、両替機に対して、起動信号又は停止信号を送出することにより、両替機を制御する。
【００２２】
制御手段１００は、自動運行装置１全体を統括して制御する。
【００２３】
図３乃至図５を参照して、記憶手段１０４における当日運行スケジュールを作成するために必要な各種テーブルについて説明する。
【００２４】
図３は、絶対時刻で規定される開閉店テーブルを示す。開閉店テーブルは、平日・土曜日・日曜日の各曜日毎に、閉店時刻と開店時刻とを設定している。例えば、平日では、８：００に開店し２１：００に閉店する。このテーブルの時刻になると、店舗の状態が変化するので、この状態変化に基づき電気錠７を施錠又は解錠制御する。なお、センサ８にて店舗内に人が検出されている間には、電気錠７を施錠しないように制御されている。
【００２５】
同様に、土曜日、日曜日についても、開閉店の時刻パターンが設定されている。図４は、絶対時刻で規定される通常運行テーブルを示す。通常運行テーブルは、各設備の起動（ＯＮ）時刻・停止（ＯＦＦ）時刻を設定し、曜日によってパターンを分けている。本実施例の場合、ＡＴＭ４は、平日の７：３０に起動し、閉店時刻より遅い２１：３０に停止する。照明設備５は、平日の８：００に点灯し、閉店時刻より遅い２１：０５に消灯するように設定されている。これらの設備は、平日・土曜日・日曜日によって、起動／停止パターンが異なっており、それぞれ設定されている。
【００２６】
両替機６は、平日の９：００に起動し、１５：００に停止するように設定されている。なお、両替機６は、土曜日及び日曜日に起動させないので、土曜日・日曜日の設定がない。
【００２７】
図５は、相対時間で規定される緊急運行テーブルを示す。緊急運行テーブルは、緊急開店又は緊急閉店操作がなされたときからの経過時間にて、各設備の起動（ＯＮ）又は停止（ＯＦＦ）時間を原則的に設定している。本実施例では、ＡＴＭ４は緊急開店操作がなされると同時に起動制御され、照明設備５は５分後に点灯されるように設定している。同様に、緊急閉店操作がされると、５分後に照明設備５が消灯し、１０分後にＡＴＭ４が停止するように設定されている。
【００２８】
両替機６は、９：００から１５：００の間のみ稼動するようにしなければならない設備である。にもかかわらず、緊急開店操作がされたときからの相対時刻では、相対時間の起算時点が不定なため、両替機６を適切に制御できない。このため、緊急運行テーブルにおける相対時間ではなく、通常運行テーブルに設定にしている絶対時刻での制御できるようにするため、「ＳＳ」と設定している。この「ＳＳ」との設定は、後述する緊急開店又は緊急閉店操作がされたときに、当日のスケジュールを作成する際に参照され、通常運行テーブルに設定されている当該設備についてのみ起動又は／及び停止の絶対時刻を用いる。なお、緊急閉店操作がされたときは、閉店中に両替機を稼動させておく必要がないので、相対時間にて停止制御がなされる。
これらの各テーブルは、監視センタ３から通信回線２、通信手段１０１を介して記憶手段１０４に記録される。なお、操作手段１０２から直接入力するようにしても良い。
【００２９】
次に、緊急開閉店を行わない通常時における運行スケジュールの作成処理について説明する。運行スケジュールは、当日の０：００に作成処理される。０：００になると、記憶手段１０４から開閉店テーブルと通常運行テーブルを参照し、当日の曜日に基づいて当日スケジュールの作成処理を開始する。例えば、当日が平日であれば、７：３０にＡＴＭ４を起動、８：００に電気錠７を解錠・照明設備の点灯、９：００に両替機６を起動、１５：００に両替機６を停止、２１：００に電気錠７を施錠、２１：０５に照明設備７を消灯、２１：３０にＡＴＭ４を停止する図６に示す運行スケジュールを作成する。作成された運行スケジュールは記憶手段１０４に記憶され、この運行スケジュールにしたがって店舗の設備が制御される。なお、電気錠７は、通常運行テーブルに設定していない。電気錠７は、店舗への人の出入を規制する設備であり、防犯・防災等の各種センサ８と同様に、店舗の開店又は閉店かの状態によって動作が決定される設備だからである。即ち、電気錠７は、閉店中の店舗内に、人が物理的に入れないようにし、センサ８とともに店舗を賊などから守るセキュリティ機器として扱われる設備だからである。
【００３０】
ここでは、セキュリティ情報の扱い方法や各設備の詳細な制御についての説明は、本発明の意図するところでないので詳述しないが、一般的に行われている方法がとられている。
【００３１】
次に、緊急開店操作があった場合の運行スケジュールの作成処理について、図７及び図８を参照して説明する。図７は、緊急開店操作が７：００になされた場合に作成された運行スケジュールである。また、図８は、緊急開店操作がなされた場合の運行スケジュール作成処理フローである。
前提として、図６に示す運行スケジュールにて運行されているとする。
【００３２】
今、何らかの事情により、７：００に緊急開店操作が操作手段１０２になされたとする（Ｓ１）。制御手段１００は、図５に示す緊急運行テーブルを読み出す（Ｓ２）。当該緊急運行テーブル中に「ＳＳ」が設定されている設備があるか否か判断する（Ｓ３）。「ＳＳ」が設定されている設備が存在すれば、図４に示す通常運行テーブルから閉店時刻以降の設定と、「ＳＳ」が設定されている設備の発停時刻とを取込む（Ｓ６）。本実施例の場合では、両替機６について、「ＳＳ」が設定されているので、両替機６の起動時刻９：００と停止時刻１５：００を取込む。
【００３３】
次に、取込んだ図５に示す緊急運行テーブル、閉店時刻以降の設定、両替機６の発停時刻から運行スケジュールを作成する（Ｓ６）。即ち、図７に示すように、７：００にＡＴＭ４が起動、７：０５に照明設備５を点灯するとともに開店状態、９：００に両替機６を起動、１５：００に両替機６を停止、２１：００に閉店状態、２１：０５照明設備を消灯、２１：３０にＡＴＭ４を停止するように運行スケジュールを作成する。
その後、自動運行装置は、作成された運行スケジュールにしたがって運行を行う。
【００３４】
なお、開店状態になると、電気錠装置７を解錠制御するとともに、侵入者を検出するセンサ８が検出しても監視センタ装置３に対して通報しない、いわゆる警備解除状態となる。また、閉店状態となると、電気錠設備７を施錠制御するとともに、侵入者を検出するセンサ８が検出すると監視センタ装置３に対して通報する、いわゆる警備セット状態となる。
また、Ｓ３にて「ＳＳ」の設定がないと、図４に示す通常運行テーブルのうち閉店時刻以降の設定を取込む（Ｓ５）。そして、Ｓ６にて、同様に運行スケジュールの作成を行う。
【図面の簡単な説明】
【図１】全体のシステム構成図である。
【図２】自動運行装置１のブロック図である。
【図３】開閉店テーブルの一例である。
【図４】通常運行テーブルの一例である。
【図５】緊急運行テーブルの一例である。
【図６】通常時の運行スケジュールの一例である。
【図７】緊急開店操作が７：００になされた場合に作成された運行スケジュールである。
【図８】緊急開店操作がなされた場合の運行スケジュール作成処理フローである。
【符号の説明】
１…自動運行装置
１００…制御手段
１０１…通信手段
１０２…操作手段
１０３…表示手段
１０４…記憶手段
１０５…電源手段
１０６…計時手段
１０７…センサ監視手段
１０８…照明設備制御手段
１０９…電気錠制御手段
１１０…ＡＴＭ制御手段
１１１…両替機制御手段
２…通信回線
３…監視センタ装置
４…ＡＴＭ
５…照明設備
６…両替機
７…電気錠
８…センサ
【図１】
0004448216.tif 000002
【図２】
0004448216.tif 000003
【図３】
0004448216.tif 000004
【図４】
0004448216.tif 000005
【図５】
0004448216.tif 000006
【図６】
0004448216.tif 000007
【図７】
0004448216.tif 000008
【図８】
0004448216.tif 000009